Podtech/llm-jp-corpus-v4-ja_patent huggingface dataset:
(57)【要約】      （修正有）【課題】眼鏡の弾性鼻パッド構造を提供する。【解決手段】眼鏡の弾性鼻パッド構造は、レンズフレーム１０中央に相対設置される鼻パッド支持構造１１と、弾性鼻パッド２０と、を含み、鼻パッド支持構造は、接続段１１１を有し、弾性鼻パッドは、形状が接続段に対応する接続孔を有する接合部２１と、鼻あて２２と、接合部と鼻あての間に形成され、弾性変形効果を有する弾性段２３と、を含み、接続孔が接続段に穿合し、接合固定された後、鼻パッドに弾性緩衝の効果をもたせる。【選択図】図２
0003183807.tif 000002
【実用新案登録請求の範囲】
【請求項１】
レンズフレーム及び弾性鼻パッドを含み、
該レンズフレームは、レンズフレーム中央且つ鼻筋に近接する位置に相対設置される鼻パッド構造を含み、
該鼻パッド構造は、接続孔を有し、接続孔の形状が該接続段の外形に対応し、該接続孔を該接続段に穿合接続させて接合固定する接合部と、鼻筋に寄りかからせることに用いる鼻あてと、接合部及び鼻あての間に形成され、弾性変形の効果を有する弾性段と、を含む眼鏡の弾性鼻パッド構造。
【請求項２】
前記接続部が円形断面である請求項１に記載の眼鏡の弾性鼻パッド構造。
【請求項３】
前記接続部が非円形断面である請求項１に記載の眼鏡の弾性鼻パッド構造。
【考案の詳細な説明】
【技術分野】
【０００１】
本考案は、眼鏡構造に関し、特に、眼鏡鼻パッドが弾性支持力を有する環境構造の交換に関する。
【背景技術】
【０００２】
眼鏡は、眼の前方に掛け、視力を矯正し、眼を保護する用品であり、通常、眼鏡のレンズフレームの中央に鼻パッド構造を設け、鼻パッドを鼻筋上に寄りかけ、眼鏡を支持し、眼鏡の脱落を防止する。鼻パッドの構造は、通常、レンズフレームの材質の違いにより設計上の差異を有し、プラスチック材質のレンズフレームの鼻パッド構造は、通常レンズフレームの中央位置に一体に成型され、金属のレンズフレームは、鼻パッド支持構造を溶接固定し、それから、鼻パッドを螺子で鼻パッド支持構造上に螺合する。しかしながら、上記のよく見られる鼻パッド構造は、一般的に位置及び角度が固定された構造であり、鼻パッド及びレンズフレームの間の距離は、固定されて緩衝作用を有さず、眼鏡の使用者が不注意で衝突した時、傷害を招き易く、理想的でない。また、鼻パッドの質感は、大部分が固く、長時間眼鏡を掛けていると、鼻筋に見苦しい跡が形成され易く、このことから分かるように、従来の鼻パッド構造は、依然として改善の余地が存在する。
【先行技術文献】
【特許文献】
【０００３】
【特許文献１】特開２００５−３２６５５８号公報
【考案の概要】
【考案が解決しようとする課題】
【０００４】
これに鑑みて、本考案は、弾性支持力を有する鼻パッド構造を提供し、外力の衝突を干渉し、傷を受けることを回避し、同時に眼鏡を掛けた時の快適性を向上する。
【課題を解決するための手段】
【０００５】
上記に目的を達成する為、本考案が提供する眼鏡の弾性鼻パッド構造は、レンズフレーム及び弾性鼻パッドを含み、該レンズフレームは、レンズフレーム中央に相対設置される鼻パッド構造を含み、該鼻パッド構造は、接続段を有し、該弾性鼻パッドは、接続孔を有し、接続孔の形状が該接続段の外形に対応する接合部と、鼻筋に寄りかけることに用いる鼻あてと、接合部及び鼻あての間に形成され、弾性変形の効果を有する弾性段と、を含み、該接続孔を該接続段に穿合し、安定結合し、鼻パッドに弾性緩衝の効果を持たせる。
【考案の効果】
【０００６】
本考案の利点は、該眼鏡の弾性鼻パッド構造にあり、構造中の弾性段が弾性縮合できる効果により外力を緩衝する作用を達成し、これにより、本考案は、従来の鼻パッド構造の人体に傷害を起こし易い欠陥を改善することができる。
【図面の簡単な説明】
【０００７】
【図１】本考案の好適実施例の立体説明図である。
【図２】本考案の好適実施例の構造分解説明図である。
【図３】本考案の好適実施例の接続段の非円形断面の説明図である。
【図４】本考案の好適実施例の弾性鼻パッドが緩衝を形成する説明図である。
【考案を実施するための形態】
【０００８】
本考案の構造特徴、効果及びその他の利点を分かり易くする為、好適実施例を挙げ、図面に合わせ、詳細を以下に説明する。
【０００９】
図１並びに図２を参照し、図面は、本考案の眼鏡の弾性鼻パッド構造を開示しており、それは、レンズフレーム１０及び弾性鼻パッド２０を含み、そのうち、
該レンズフレーム０は、レンズフレーム１０中央且つ鼻筋と近接する位置に相対設置される鼻パッド支持構造１１を含み、該鼻パッド支持構造１１は、接続段１１１を有し、鼻筋の方向へ接近してレンズフレームから離れ、眼鏡及び眼の間に適当な距離を隔て、該鼻パッド支持構造１１の材質は、硬質の金属で形成されることができ、好適な支持性を提供する。
【００１０】
該弾性鼻パッド２０は、接続孔２１１を有し、該接続孔２１１の形状が該接続孔１１１の外形に対応し、該接続孔２１１を該接続段１１１に穿合接続させて接合固定する接合部１１１と、使用時に鼻筋に寄り掛からせ、眼鏡を間接的に支持する鼻あて２２と、接合部２１及び鼻あて２２の間に形成され、弾性変形の作用を有し、フレーム１０及び鼻筋の間隔を短縮する方式を利用し、受ける圧力に緩衝の効果を達成させる弾性段２３と、を含む。
【００１１】
続いて、図３を参照し、それは、本考案の眼鏡の弾性鼻パッド構造であり、本実施例において、該鼻パッド支持構造１１の接続段１１１の前記実施例との差異は、非円形断面を呈し、該接合部２１の接続孔２１１も該接続段１１１外形に対応して互いに符合する造形を形成し、従って、注意すべきこととは、本考案の接続段１１１及び接続孔２１１の造形は、ただ両者の造形が互に接続して被さり合って固定されるものであればよく、上記実施例に限定するものではない。
【００１２】
図４を参照し、それは、本考案の弾性鼻パッドを有する眼鏡を使用者の鼻筋にかけた使用説明図であり、本考案の鼻あて２２は、鼻筋に寄りかからせ、眼とレンズフレーム１０に適当な距離を保持させ、眼鏡を支持する効果を有する。該鼻あて２２及び該鼻パッド支持構造１１の間は、弾性段２３を有し、レンズフレームにより外力の衝撃を受ける時、該弾性段２３は、鼻パッド支持構造１１の方向へ縮合でき、鼻筋とレンズフレームの隙間を縮小する方式により外力の作用する時間を延長し、外力を緩衝する効果を達成し、これに基づき、本考案は、従来の鼻パッド構造が人体の傷害を招き易い欠陥を改善することができる。
【００１３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１４】
１０  レンズフレーム
１１  鼻パッド支持構造
１１１  接続段
２０  弾性鼻パッド
２１  接合部
２１１  接合孔
２２  鼻あて
２３  弾性段
３０  鼻筋
【図１】
0003183807.tif 000003
【図２】
0003183807.tif 000004
【図３】
0003183807.tif 000005
【図４】
0003183807.tif 000006
(57)【要約】      （修正有）【課題】嵩張らずに充分な強度を持たせることができ、ハンガーボックスへの装着も簡単で、ハンガーをバランスよく吊すことができる、新規なハンガースティックを提供する。【解決手段】プラスチックで一体成形してなり、棒状をなす棒状部１０の両端に、ハンガーボックスの対向する側壁上部に引っ掛けるための逆Ｕ字状の掛止部１１を有するハンガースティック１であって、棒状部の上側の面に複数の突起１２を形成し、該突起の内側面の角度を、外側面の角度よりも小さくする。【選択図】図１
0003183254.tif 000002
【実用新案登録請求の範囲】
【請求項１】
プラスチックで一体成形されてなり、棒状をなす棒状部の両端に、ハンガーボックスの対向する側壁上部に引っ掛けるための逆Ｕ字状の掛止部を有し、前記棒状部の上側の面に複数の突起が形成され、該突起の内側面の角度αが、外側面の角度βよりも小さいことを特徴とするハンガースティック。
【請求項２】
前記突起が、前記棒状部の中心に対して線対称の位置に形成されている請求項１に記載のハンガースティック。
【考案の詳細な説明】
【技術分野】
【０００１】
本考案は、引越のときの衣類を収納するハンガーボックス内に装着し、これにハンガーを掛けるためのハンガースティックに関する。
【背景技術】
【０００２】
引越のときの衣類を収納するハンガーボックス内にハンガーを引っ掛けるためには、例えば下記特許文献に示されるように、ハンガーボックスの側壁上部に、段ボール製の懸吊部材を接着剤などで固定して用いていた。懸吊部材には、懸吊孔が設けられ、これにハンガーの鈎状部を引っ掛ける。
【先行技術文献】
【特許文献】
【０００３】
【特許文献１】特開平１０−１７４６２５号公報
【特許文献２】特開平１０−１７５６８８号公報
【考案の開示】
【考案が解決しようとする課題】
【０００４】
従来の懸吊部材は、段ボール製であるために強度が弱く、多くのハンガーを吊すことができなかった。また、強度を強くするためには懸吊部材を太くしなければならず、嵩張ってしまうという問題があった。
また、懸吊部材は接着材を用いてハンガーボックスに固定するため、接着剤が硬化する時間を待たなければならないという問題もあった。
【０００５】
本考案は、嵩張らずに充分な強度を持たせることができ、ハンガーボックスへの装着も簡単で、ハンガーをバランスよく吊すことができる、新規なハンガースティックを提供することを課題とするものである。
【課題を解決するための手段】
【０００６】
〔請求項１〕
本考案は、プラスチックで一体成形されてなり、棒状をなす棒状部の両端に、ハンガーボックスの対向する側壁上部に引っ掛けるための逆Ｕ字状の掛止部を有し、前記棒状部の上側の面に複数の突起が形成され、該突起の内側面の角度αが、外側面の角度βよりも小さいことを特徴とするハンガースティックである。
【０００７】
両端の掛止部を、ハンガーボックスの対向する側壁上部に引っ掛けることにより、ワンタッチでハンガーボックスに装着できる。ハンガーの鈎状部を棒状部に引っ掛けることで、多数のハンガーを吊すことができる。全体がプラスチックで一体成形されているので、強度も充分なものにできる。
【０００８】
棒状部の上側の面に設けた複数の突起は、ハンガーのずれ止めである。突起の内側面の角度αが、外側面の角度βよりも小さいので、ハンガーは内側から外側へは容易に移動でき、外側から内側（中央方向）へは移動しにくい。したがって、ハンガーを外側方向に振り分けることは容易であり、輸送中の振動でハンガーが内側にずれてハンガースティックの中央部に集中荷重が加わるのを防止できる。
【０００９】
〔請求項２〕
また本考案は、前記突起が、前記棒状部の中心に対して線対称の位置に形成されている請求項１に記載のハンガースティックである。
【００１０】
突起を線対称の位置に設けることで、ハンガーがバランスよく配置される。
【考案の効果】
【００１１】
本考案のハンガースティックは、安価に製造でき、強度も充分なものとすることができる。また、ハンガーボックスへの装着はワンタッチで簡単である。さらに、ハンガーを外側方向に振り分けることは容易であり、輸送中の振動でハンガーが内側にずれて中央部に集中荷重が加わるのを防止できる。
【図面の簡単な説明】
【００１２】
【図１】ハンガースティック１の斜視図である。
【図２】ハンガースティック１の正面図である。
【図３】図２におけるＡ−Ａ線断面図である。
【図４】突起の説明図である。
【図５】突起の説明図である。
【図６】ハンガースティックをハンガーボックスに装着した状態の説明図である。
【考案を実施するための形態】
【００１３】
以下、本考案の実施形態を表した図面に基づいて、本考案を詳細に説明する。
図１〜６に示すハンガースティック１は、再生プラスチック製で、射出成形により全体が一体に成形されている。
【００１４】
ハンガースティック１は、棒状の棒状部１０の両端に、ハンガーボックスの対向する側壁上部に引っ掛けるための逆Ｕ字状の掛止部１１を有する。図３に示すように、棒状部１０の断面形状は横Ｈ形で、上面と下面が丸みを帯びている形状である。棒状部の断面形状はこれに限るものではなく、例えば、円形、円筒形、四角形、四角筒形など自由である。棒状部１０には、補強のため、リブ１３が7箇所形成されている。
【００１５】
棒状部１０の上側の面には、突起１２が２個、左右対称に設けられている。図４に示されるように、突起１２の内側面１２ａの角度αは、外側面１２ｂの角度βよりも小さくなっている。内側面とは、棒状部１０の長手方向中心に近い面、外側面は、その反対側の面である。このため、図５の矢印で示すように、ハンガーを外側方向に振り分けることは容易であり、その逆に、輸送中の振動でハンガーが内側にずれてハンガースティックの中央部に集中荷重が加わるのを防止できる。なお、本例の場合、αは約１４°、βは９０°である。
【００１６】
ハンガースティック１は、例えば図６に示すように、ハンガーボックス３に装着される。ハンガーボックス３は、段ボール製で、縦長の直方体形状をなし、上面に蓋３０、３２を有する。蓋３０の根元には穴３１が設けられ、その中に側壁３３上部が露出している。ハンガースティック１の掛止部１１を、この露出した側壁３３上部に引っ掛けてハンガーボックス３に装着する。
【００１７】
しかる後、図５に示されるように、ハンガースティック１の棒状部１０に、ハンガー２の鈎状部２０を引っ掛けることで、多数のハンガーを吊すことができる。ハンガースティック１に加わる荷重は、例えば背広を吊したハンガーを６個吊り下げた場合、１５〜２０ｋｇ程度であり、本例のハンガースティックの強度はこれに十分耐えるものである。
【符号の説明】
【００１８】
１  ハンガースティック
１０  棒状部
１１  掛止部
１２  突起
１２ａ  内側面
１２ｂ  外側面
１３  リブ
２  ハンガー
２０  鈎状部
３  ハンガーボックス
３０  蓋
３１  穴
３２  蓋
３３  側壁
【図１】
0003183254.tif 000003
【図２】
0003183254.tif 000004
【図３】
0003183254.tif 000005
【図４】
0003183254.tif 000006
【図５】
0003183254.tif 000007
【図６】
0003183254.tif 000008
(57)【要約】      （修正有）【課題】仏具としての鈴の用途を担うことが可能な、洋風化された鈴であって、撞木による叩打によらずとも音を発することが可能であり、しかも床面に置いても澄みとおった音が響き続ける鈴を提供する。【解決手段】ベル鋺２とベル鋺外周上部に設けたハンドル３と、ベル鋺内周上部から垂設されるバネ部材と、バネ部材下端に取り付けられ、その下端がベル鋺下端より下方にくるハンマー部材５と、により鈴１を構成した。【選択図】図１
0003183215.tif 000002
【実用新案登録請求の範囲】
【請求項１】
ベル鋺（２）とベル鋺（２）外周上部に設けたハンドル（３）と、ベル鋺（２）内周上部から垂設されるバネ部材（４）と、バネ部材（４）下端に取り付けられ、その下端がベル鋺（２）下端より下方にくるハンマー（５）と、により成る鈴（１）。
【考案の詳細な説明】
【技術分野】
【０００１】
本考案は、仏具の一つである鈴（りん）に関する。
【背景技術】
【０００２】
仏壇にお参りする際に、鈴を撞木で打ち鳴らすことが行われる。その意味合いは、邪気を払い、澄みとおる音でその場を清浄するためなどである。
【０００３】
一般的に鈴は、鈴台と呼ばれる台の上に、鈴布団と呼ばれる中敷を置き、その上に乗せて用いる。鈴の形状は、一般的に鉢状、もしくは壷状である。
【０００４】
仏具としての鈴に関する先行特許文献として、外周面に般若心経の文字が刻設された鈴が特許文献１に開示されている。
【先行技術文献】
【特許文献】
【０００５】
【特許文献１】登録実用新案公報第３０１５８８１号
【考案の概要】
【考案が解決しようとする課題】
【０００６】
生活スタイルの洋風化に伴い、仏間を有する家屋は少なくなっている。係る現状に伴い、仏壇も洋風化されリビングに設置されることが多くなっている。
【０００７】
係る洋風化された仏壇の場合、備え付けの仏具も洋風化が求められる。そこで本考案は仏具としての鈴の用途を担うことが可能な、洋風化された鈴を提供することを目的とする。更には、本考案は撞木による叩打によらずとも音を発することが可能であり、しかも床面に置いても澄みとおった音が響き続ける鈴を提供することを目的とする。
【課題を解決するための手段】
【０００８】
上記の目的を達成する本考案の構成は次の通りである。
【０００９】
ベル鋺とベル鋺外周上部に設けたハンドルと、ベル鋺内周上部から垂設されるバネ部材と、バネ部材下端に取り付けられ、その下端がベル鋺下端より下方にくるハンマー部材と、により鈴を構成した。
【考案の効果】
【００１０】
本考案に係る鈴は従来例のように鉢状もしくは壷状ではなく、外見がベル状であるため、リビング等に設置されることが前提とされる洋風仏壇に装備しても違和感がない鈴の提供が可能となる。
【００１１】
また、本考案はハンドルを握ってベル鋺を振れば音が鳴るため、撞木が不要となる。
【００１２】
また、ベル鋺を叩打して音を鳴らすハンマーが、ベル鋺上部内周面からバネ部材により吊架されているため、ハンマーが不要にベル鋺を叩打することを抑制できる。つまり、仮にハンマーが紐によって吊架されていると、ベル椀を振るとハンマーが何度も左右に振れ、多数回ベル椀を叩打し、不要な回数音が鳴ってしまう。
【００１３】
一般的に仏壇を参拝する際には、宗派によって異なるが、鈴は１回乃至３回程度鳴らすことが参拝法に準じることになり、鈴を不要な回数鳴らしてしまうことは係る参拝法に悖ることになる。本考案によれば、バネ部材の弾性力により、ベル椀を振っても、殊更強く振らない限り一度しかハンマーはベル鋺を叩打しない。つまり、本考案によれば、仏壇の参拝法に適した鈴の提供が可能となるのである。
【００１４】
また、ハンマーの下端がベル鋺の下端よりも下部に来るように構成されていることから、鈴を床面に置いた際に、ベル鋺がバネ部材により支持され、ベル鋺が床面に接しないことになる。それゆえ、鈴を鳴らして音が響いている状態で、鈴を床においても響きが止まらず、澄みとおった音が響き続けることになるのである。
【図面の簡単な説明】
【００１５】
【図１】本考案の正面図
【図２】同、平面図
【図３】同、底面図
【図４】同、一部破断正面図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
図１は本考案の正面図である。図中仮想線で床面を現している。なお、右側面図、左側面図も正面図と同一に現れるものである。
【００１８】
本考案に係る鈴１は、ベル鋺２、ハンドル３、バネ部材４及びハンマー５より成るものである。
【００１９】
ベル鋺２は図１、図４に示すようにお椀形状を呈しているが、むろん係る限定を受けるものではなく、鉢状、壷状、末広がりのベル状等も採用できる。ベル鋺２は金属材料で形成される。
【００２０】
ベル鋺２の外周面上部にはハンドル部３が設けられている。ハンドル部３はベル鋺２に溶接してもよいし、あるいはベル鋺２に孔部を設けて螺合してもよい。また、素材は特に問わない。
【００２１】
ベル鋺２の上部内周面には弾性体たるバネ部材４が鉛直方向に垂設されている。バネ部材４の取付方法は、ベル鋺２に溶接してもよいし、或るいはハンドル部３に固定してもよい。バネ部材４の弾性力及び長手方向長さは、鈴１を床面に置いた際に、ベル鋺２の下端が床面に接しない程度に設定されている。
【００２２】
バネ部材４の下端には、ハンマー５が取付けられている。ハンマー５は図中直方体形状を呈しているが、むろん係る限定を受けるものではなく、球状その他任意の形状を採用できる。材質はベル鋺２を叩打した際に、よく響く音を出せる素材、すなわち金属材料や硬度に富む木材料、陶器材料等を使用出来る。ハンマー５の下端は図１に示すようにベル鋺２の下端よりも下方に来るよう設けられている。
【符号の説明】
【００２３】
１・・鈴
２・・ベル鋺
３・・ハンドル
４・・バネ部材
５・・ハンマー
【図１】
0003183215.tif 000003
【図２】
0003183215.tif 000004
【図３】
0003183215.tif 000005
【図４】
0003183215.tif 000006
(57)【要約】      （修正有）【課題】完全な断線の無い蜘蛛の巣状の面状を作りあげることで、遠赤外線発熱保温、抗菌防臭、除電効果のある不織布を提供すること。【解決手段】カーボンなどの半導体繊維２を５％から５０％の範囲で、ポリエスター、ナイロン、レーヨンなどの合成繊維３と熱融着性繊維４で結合させカーボン繊維を蜘蛛の巣状に重ねて配置して、全体的に断線を起こさない１０グラム／Ｍ２から１００グラム／Ｍ２の不織布を製造する。上記のように作製された不織布のカーボン繊維の脱落を防ぐ為に、熱融着性繊維４で結合させ、コーティング剤を不織布の両面に施す。【選択図】図１
0003183290.tif 000002
【実用新案登録請求の範囲】
【請求項１】
静電容量を有した通電性のあるカーボン繊維や硫化銅をイオン結合させたアクリル繊維、ナイロン繊維などの半導体繊維をポリエスター、ナイロン、レーヨンなどの他の繊維と混ぜ半導体繊維の脱落のない結合をさせ、その半導体繊維が蜘蛛の巣状で、断線の無い面状に配した不織布
【請求項２】
半導体繊維で３ｍｍから６０ｍｍまでに細断されたものを不規則に重ねて配置し電気の断線を起こさないようにした不織布
【請求項３】
電気の流れを面上にすることが可能であるので当然ながら遠赤外線、赤外線、高周波、マイクロ波、電磁波などの電気性能を持つものを吸収し面上で熱を発生させる不織布
【考案の詳細な説明】
【技術分野】
【０００１】本考案は遠赤外線発熱保温、抗菌防臭に加えて除電効果がある静電容量の大きい衣料芯地、並びにインテリア芯地に関するものである。
【背景技術】
【０００２】カーボン繊維や硫化銅をイオン結合させたアクリル繊維、ナイロン繊維などの半導体繊維は通電性が有るだけでなく抗菌防臭、セラミック効果（遠赤保温効果）がある。その効果を線上から面上に広げて静電容量を上げ、より大きな効果を得ようとするものである。
【考案の概要】
【考案が解決しようとする課題】
【０００３】本考案は、半導体繊維で完全な断線の無い蜘蛛の巣状の面状を作りあげることで、遠赤外線発熱保温、抗菌防臭、除電効果のある不織布芯を提供することを目的としている。
【課題を解決するための手段】
【０００４】所謂、湿式方式で、半導体繊維であるカーボン繊維のスレイバーを細かく細断して他の繊維に混ぜ入れ、カーボン繊維が蜘蛛の巣状で断線することがないように面状に配置し、静電容量を大きくし、面状で遠赤外線の優れた効果を実現させる。【０００５】３ｍｍから６０ｍｍの長さのカーボン繊維を、５％から５０％の範囲で、ポリエスター、ナイロン、レーヨンなどの繊維と熱融着性繊維で、結合させカーボン繊維を蜘蛛の巣状に重ねて配置して、全体的に断線を起こさない１０グラム／Ｍ２から１００グラム／Ｍ２の不織布を製造する。【０００６】またこの時、カーボン繊維の脱落を防ぐ為に、両面にコーティングを施す。
【考案の効果】
【０００７】静電容量は面積に比例することから面状で遠赤外線効果、抗菌消臭効果、除電効果を表現しているので線状のものと比較して大きな効果がある。【０００８】本実施形態において作製する、カーボン繊維１５％およびカーボン繊維１０％の不織布における遠赤外線効果の試験を以下の方法で行った。【０００９】ａ）試験方法
４５°に傾斜した試料台に試験試料と対照試料を並べて取り付け、その１５ｃｍ前に９０℃の熱板を平行にセットする。サーモビュアにより両試料の表面温度を測定し、温度差を求める。【００１０】こうして行った評価試験結果を表１と表２に示す【００１１】
【表１】
0003183290.tif 000003
【表２】
0003183290.tif 000004
【００１２】従って、カーボン繊維１５％およびカーボン繊維１０％共に、従来の芯地より約１．５℃温度上昇し、信頼限界９９％と認められたことから遠赤外線効果があることが分かった。【００１３】次に、本実施形態において作製する、カーボン繊維１５％の不織布における帯電性（半減期）の評価試験結果を以下の表３に示す。【００１４】
【表３】
0003183290.tif 000005
【００１５】上記表３より、０．２８秒後に本実施形態で作製した芯地の静電気は半分に減少することがわかり、十分な除電効果が得られることがわかった。【００１６】以上、本実施形態において作製した芯地の評価試験結果のとおり、本考案にあっては面上にカーボン繊維を不規則な蜘蛛の巣状に配し、完全な断線のない面状を作り上げることにより、面全体で遠赤外線発熱保温、除電効果が得られる。
【図面の簡単な説明】
【００１７】
【図１】本考案の実施形態の不織布を表す平面図である。
【図２】本考案の実施形態の不織布の構造を表す断面図である。
【考案を実施するための形態】
【００１８】以下、本考案の実施の形態を図に基づいて説明する。
【００１９】図１の符号１は本考案で作製された多機能不織布である。符号２のカーボンなどの半導体繊維を５％から５０％の範囲で、符号３のポリエスター、ナイロン、レーヨンなどの合成繊維と符号４の熱融着性繊維で結合させカーボン繊維を蜘蛛の巣状に重ねて配置して、全体的に断線を起こさない１０グラム／Ｍ２から１００グラム／Ｍ２の不織布を製造する。
【００２０】上記のように作製された不織布のカーボン繊維の脱落を防ぐ為に、符号４の熱融着性繊維で結合させ、さらに図２のように符号５のコーティング剤を不織布の両面に施す。
【符号の説明】
【００２１】１多機能不織布
２カーボン繊維や硫化銅をイオン結合させたアクリル繊維、ナイロン繊維などの半導体繊維
３ポリエスター、ナイロン、レーヨンなどの繊維などの合成繊維
４熱融着性繊維
５コーティング剤
【図１】
0003183290.tif 000006
【図２】
0003183290.tif 000007
【手続補正書】
【提出日】平成25年2月13日(2013.2.13)
【手続補正１】
【補正対象書類名】実用新案登録請求の範囲
【補正対象項目名】全文
【補正方法】変更
【補正の内容】
【実用新案登録請求の範囲】
【請求項１】
静電容量を有した通電性のあるカーボン繊維や硫化銅をイオン結合させたアクリル繊維、ナイロン繊維などの半導体繊維をポリエスター、ナイロン、レーヨンなどの他の繊維と混ぜ半導体繊維の脱落のない結合をさせ、その半導体繊維が蜘蛛の巣状で、断線の無い面状に配した不織布
【請求項２】
半導体繊維で３ｍｍから６０ｍｍまでに細断されたものを不規則に重ねて配置し電気の断線を起こさないようにすることを特徴とする請求項１記載の不織布
【請求項３】
多機能不織布１のカーボン繊維や硫化銅をイオン結合させたアクリル繊維、ナイロン繊維などの半導体繊維２のように不規則に重ねて配置することによって電気の流れを面上にすることが可能であるので遠赤外線、赤外線、高周波、マイクロ波、電磁波などの電気性能を持つものを吸収し面上で熱を発生させることを特徴とする請求１または２記載の不織布
(57)【要約】      （修正有）【課題】ペンを使用した事務仕事や、授業中に学生がノートへ書き込む際等、長時間ペンを使って筆記作業をする人の疲労感を軽減し、作業能率の向上化や、身体への負担軽減を図る、屈折又は湾曲しているペン先のペンを提供する。【解決手段】自然にペンを握った状態でペン先が（用紙等に）９０度に近い角度で紙に当たるよう始めから調節してある（湾曲又は屈折した）形状となっている。この形状により、手の作業負担が軽減され筆記時に身体にかかる負担も軽減する。このため、筆記時の疲労軽減が期待できる。【選択図】図２
0003183286.tif 000002
【実用新案登録請求の範囲】
【請求項１】
自然にペンを握った状態でペン先が（用紙等に）９０度に近い角度で紙（書こうとする対象物）に当たるよう、角度補整してある（湾曲又は屈折等した）形状となっているペンを考案するものである。
【考案の詳細な説明】
【技術分野】
【０００１】  本考案は、（筆記時にかかる負担軽減目的から）ペン先が湾曲したペンの形状に関するものである。
【背景技術】
【０００２】  従来のペンは直線的な形状をしている（一般にまっすぐな形をしている）。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来の（一般的に使用されている）ペンは直線的な形をしており、それを使用する側の人間がペン先の角度を書き易いように（紙等の対象物に対して直角に近づけて）調整して使用されるものであった。
しかし、（事務作業等での）長時間のペン使用により使用者の手や腕、肩等に負担がかかり、肩こりや手の疲労感等の問題を引き起こす一因となっている。
【課題を解決するための手段】
【０００６】    本考案は、自然にペンを握った状態でペン先が（用紙等に）９０度に近い角度で（紙などの）書こうとする対象物に当たるよう始めから調節してある（湾曲又は屈折した）形状となっている、ペンの形状を考案するものである。
この形状により、筆記時に身体にかかる負担が軽減され、問題を解決する事が出来る。
【考案の効果】
【０００７】従来製品では、ペンは真直ぐな形状のため、それを使う側の人間が自分で角度を調節し、用紙等に押し付けて使用（筆記）する必要があった。
これに対して本発明ではペンの方が始めから紙に対してより良い角度でペン先が用紙等に当たる形状になっている。この為、使用者のペン使用時に（角度調節に）かかる負担が軽減される効果がある。
【図面の簡単な説明】
【０００８】
【図１】従来の直線型ペン使用時に起こる手の動きである。
【図２】本考案のペン使用時に起こる手の動きである。
【考案を実施するための形態】
【０００９】  利き手で自然にペンを握った状態でペン先が９０度に近い角度で用紙等に当たるよう始めから調節してある（湾曲・屈折等した）形状となっている。
【実施例】
【００１０】  始めからペン先が調節してある（湾曲・屈折等した）形状となっている。
【産業上の利用可能性】
【００１１】  ペンを使用した事務仕事や、授業中に学生がノートへ書き込む際等、長時間ペンを使って筆記作業をする人の疲労感を軽減し、作業能率の向上化や、身体への負担軽減を行う。この事から、肩こり等の身体症状を軽減する事を期待する。
また、身体の障害等により、（把握力の低下等）筆記時のペンの角度調整に困難がある方が筆記時に感じる困難さを軽減し、より容易に筆記作業を行う事が出来るようになる為の一助となる可能性を持っている。
【符号の説明】
【００１２】１  自然にペンを握った際のペンの角度（イメージ）
２  筆記時にペンを握った際のペンの角度（ペン先を用紙等におしつけている）
３  自然にペンを握った状態でペン先が用紙等に当る
４  ペン先が湾曲し、把握時に出来る（用紙等との間にある）角度を補正している
【図１】
0003183286.tif 000003
【図２】
0003183286.tif 000004
【手続補正書】
【提出日】平成25年2月14日(2013.2.14)
【手続補正１】
【補正対象書類名】実用新案登録請求の範囲
【補正対象項目名】全文
【補正方法】変更
【補正の内容】
【実用新案登録請求の範囲】
【請求項１】
自然にペンを握った状態でペン先が用紙に９０度に近い角度で当たるよう、ペン先が屈折又は湾曲しているペン。
(57)【要約】      （修正有）【課題】滑り防止加工生地を配した天板と、体に馴染む柔軟な素材でできたクッションテーブルで、仰臥姿勢でノートパソコンを使用するための作業台として、安定を保ち、危険性を防ぐパソコンテーブルを提供する。【解決手段】流動性と圧縮に強い、径約１ミリメートルの極小粒状のポリスチレンビーズ５が詰まったクッションの側生地を、伸縮性の無い側面生地２と、伸縮性のある底面生地３により縫製し、また、平滑な天面１を設け、ノートパソコンを腹上で使用する際の作業台とする。仰臥姿勢で膝を曲げ、鼠蹊部を中心に設置し、天面にノートパソコンを乗せた状態で角度を調整しながら使用する。その際、天面の滑り防止加工によりノートパソコンが固定され、作業時の安定と危険防止に役立つ。【選択図】図３
0003183285.tif 000002
【実用新案登録請求の範囲】
【請求項１】
作業性と安全性を高めるため、天面に滑り防止加工を施した天板とクッションを一体とした寝ながら使えるパソコンテーブル。詰物である極小粒状ビーズと、伸縮素材・非伸縮素材を切り替えた側生地を用いる事により、ノートパソコンを乗せ使用する作業台としての強度と安定を保つ。
【考案の詳細な説明】
【技術分野】
【０００１】本考案は、天板に滑り止めを配したクッション型の小型作業台（寝ながらパソコンテーブル）に関する。
【背景技術】
【０００２】従来の寝ながらパソコンを使用するためのテーブルは、金属や樹脂などの成形部材で支柱や天板等で構成された大掛かりなもので構成されている。【０００３】しかしながら、取り付けに手間や力がかかることと、落下などにより怪我などの危険もある欠点があった。
【先行技術文献】
【特許文献】
【０００４】
【特許文献１】実登３０８６３６６
【考案の概要】
【考案が解決しようとする課題】
【０００５】本考案は、以上のような従来の欠点に鑑み、危険性が無く、扱いやすく軽量で、且つ、寝ながら使用可能なパソコンテーブルを提供することを目的としている。
【課題を解決するための手段】
【０００７】上記目的を達成するために、本考案は、袋物の布製で詰物に柔軟性と軽量な素材を用い、且つ、滑り防止加工生地を配した天板を付属し、仰臥時、腹の上に置いて寝ながら使えるパソコンテーブルを構成している。
【考案の効果】
【０００８】以上の説明から明らかなように、本考案にあっては、次に列挙する効果が得られる。
（１）
【図面の簡単な説明】
【０００９】
【図１】本考案の全体を示す外観図である。
【図２】本考案の側面図である。
【図３】本考案のａ１〜ａ２断面図である。
【図４】本考案のパソコン使用時の実施例を示す側面図である。
【考案を実施するための形態】
【００１０】クッションの天面にノートパソコンを乗せるために滑り防止加工された生地を張った天板を一体化させた形状。クッションの詰め物は、適度な厚みを保つため、又、加重によって流動性のある極細粒状ビーズを用いる。同様に適度な厚みを保ため、側面生地は非伸縮生地を用い、横への広がりを防ぐ。底面生地は、仰臥時の身体の丸みに馴染む様、伸縮性の生地を用いる。作業時の天板の角度を調整しやすい様傾斜を儲ける。更に天面の強度、平滑度を補うため、天面内側に樹脂製板を挿入する。
【実施例】
【００１１】以下、添付図面に従って一実施例を説明する。１は滑り防止加工を施した生地を張った天面である。２は本体の側面生地とし、伸縮性の無い生地を用い、膨らみによる形状の崩れを防止する。３は縦横に伸縮性のある生地を用い、１の天面にかかる加重による詰め物の移動に柔軟に沿い、天面のバランスを保つ。４は、滑り防止加工生地を張った天面の平滑度と強度を保つため、反り、曲がりのない樹脂製の板であり、１の内側に配置する。５の詰物は、流動性と圧縮に強い、径約１ミリメートルの極小粒状のポリスチレンビーズを用い、使用時の任意の角度と、高さ、安定を保つ。図４の様に、仰臥姿勢で膝を曲げ、鼠蹊部を中心に設置し、天面にノートパソコンを乗せた状態で角度を調整しながら使用する。その際、１の滑り防止加工によりノートパソコンが固定される。
【産業上の利用可能性】
【符号の説明】
【００１２】１天面  （滑り防止加工生地）
２側面生地（非伸縮素材）
３底面生地（伸縮素材）
４樹脂製板
５詰物（極小粒状ビーズ）
【図１】
0003183285.tif 000003
【図２】
0003183285.tif 000004
【図３】
0003183285.tif 000005
【図４】
0003183285.tif 000006
【手続補正書】
【提出日】平成25年2月14日(2013.2.14)
【手続補正１】
【補正対象書類名】実用新案登録請求の範囲
【補正対象項目名】全文
【補正方法】変更
【補正の内容】
【実用新案登録請求の範囲】
【請求項１】
滑り止め加工を施した生地を張った天面と、非伸縮性素材からなる側面生地と、伸縮性素材からなる底面生地とからなるクッションから構成され、前記天面の直下には樹脂製の板が配置され、前記クッションの詰め物として、極小のポリスチレンビーズを用いたことを特徴とするパソコンテーブル。
(57)【要約】      （修正有）【課題】ＳＤカード保護用ネジ蓋の構造を知らない人が簡単に保護用ネジ蓋を開けることが出来ない構造を導入し、内部のＳＤカードメモリーが、いたずらおよび盗難などの被害に合う可能性を低減させたＳＤカード挿入ケースを提供する。【解決手段】雄ネジ溝を有する保護用蓋２と、雌ネジ溝を有し、前記保護用蓋と螺合するケース本体１とを備え、保護用蓋２がケース本体１に対して右回しで開放可能となる様に構成する。【選択図】図２
0003183281.tif 000002
【実用新案登録請求の範囲】
【請求項１】
ＳＤカード挿入ケースと保護用蓋の構造を特徴とする
【考案の詳細な説明】
【技術分野】
【０００１】この考案は、ＳＤカード挿入ケースと保護用ネジ式蓋の構造に関する
【背景技術】
【０００２】従来、ＳＤカード挿入ケースの保護用ネジ蓋は、右に回すと閉める左に回すと開ける構造  であり簡単に保護用ネジ蓋を外すことが可能であり内部のＳＤカードが盗難にあう可能  性があった。
【考案の概要】
【０００３】この考案は一般的な保護用ネジ式蓋の開閉の向きを逆方向の溝にすることにより簡単にネ  ジ蓋を開けることが出来ないようにした
【課題を解決するための手段】
【０００４】以上の課題を解決する為に、第一考案は、ＳＤカード挿入ケースと保護用ネジ蓋の溝を逆  溝として保護用ネジ蓋を左回しで閉める右回しで開けるを構造とすることを考案とする
【考案の効果】
【０００５】考案によればＳＤカード保護用ネジ蓋の構造を知らない人が簡単に保護用ネジ蓋を開ける  ことが出来ない為、内部のＳＤカードメモリーが、いたずらおよび盗難などの被害に合  う可能性が低減される
【図面の簡単な説明】図は、組み合わせを行う部品の図である
【図１】この考案の実地する組み合わせ部品である  １．ＳＤカード挿入口をもったケースと保護用ネジ蓋を逆溝ネジ構造にし左回しで保護用ネジ蓋を閉めるようにした
【考案を実施するための形態】
【０００６】この考案を実地形態を図２に示す
１の左回しで閉める構造の溝が入ったＳＤカードケースに２の左回しで閉める構造の溝が入った保護用ネジ蓋を利用するしくみである
【他の実地形態】
図１のＳＤカード挿入ケースの形状制限は無しとする
【符号の説明】
【０００７】１  ＳＤカード挿入ケース  ２  保護用ネジ蓋
【図１】
0003183281.tif 000003
【図２】
0003183281.tif 000004
【手続補正書】
【提出日】平成25年1月24日(2013.1.24)
【手続補正１】
【補正対象書類名】実用新案登録請求の範囲
【補正対象項目名】全文
【補正方法】変更
【補正の内容】
【実用新案登録請求の範囲】
【請求項１】
雄ネジ溝を有する保護用蓋と、雌ネジ溝を有し、前記保護用蓋と螺合するケース本体とを備え、保護用蓋がケース本体に対して右回しで開放可能となることを特徴とするＳＤカード挿入ケース。
【手続補正２】
【補正対象書類名】明細書
【補正対象項目名】全文
【補正方法】変更
【補正の内容】
【考案の詳細な説明】
【技術分野】
【０００１】この考案は、ＳＤカード挿入ケースと保護用ネジ式蓋の構造に関する
【背景技術】
【０００２】従来、ＳＤカード挿入ケースの保護用ネジ蓋は、右に回すと閉める左に回すと開ける構造であり簡単に保護用ネジ蓋を外すことが可能であり内部のＳＤカードが盗難にあう可能性があった。
【考案の概要】
【０００３】この考案は一般的な保護用ネジ式蓋の開閉の向きを逆方向の溝にすることにより簡単にネジ蓋を開けることが出来ないようにした
【課題を解決するための手段】
【０００４】以上の課題を解決する為に、第一考案は、ＳＤカード挿入ケースと保護用ネジ蓋の溝を逆溝として保護用ネジ蓋を左回しで閉める右回しで開けるを構造とすることを考案とする
【考案の効果】
【０００５】考案によればＳＤカード保護用ネジ蓋の構造を知らない人が簡単に保護用ネジ蓋を開けることが出来ない為、内部のＳＤカードメモリーが、いたずらおよび盗難などの被害に合う可能性が低減される
【図面の簡単な説明】
【０００６】
【図１】この考案の実地する組み合わせ部品図
【図２】この考案の実地形態図  １の左回しで閉める構造の溝が入ったＳＤカード挿入ケースに２の左回しで閉める構造の溝が入った保護用ネジ蓋を利用するしくみである
【他の実地形態】
【０００７】図１のＳＤカード挿入ケースの形状制限は無しとする
【符号の説明】
【０００８】１  ＳＤカード挿入ケース      ２  保護用ネジ蓋
(57)【要約】      （修正有）【課題】愛しきペットの生前の姿を内蔵ＤＶＤプレイヤーで再成出き、居間などに置けるので家族の心やすまる調度品となるペット専用仏壇を提供する。【解決手段】仏壇本体１に、ＤＶＤ再成プレイヤー２を内蔵し全面はスライド式開閉扉３を設け、下部に遺灰等収納庫４を設け、すべり止めのついた安定した台座５、収納庫とっ手６を設ける。調度品風に工夫することで家庭の居間に置ける。【選択図】図１
0003183296.tif 000002
【実用新案登録請求の範囲】
【請求項１】
本考案はペット専用仏壇で、液晶画面付きＤＶＤ再生プレイヤーを内蔵し、遺灰等を収納する事が出来る様に収納庫を付属した仏壇である。スライド式開閉扉を設け調度品風に工夫して居間に違和感なく置ける様にする。
【考案の詳細な説明】
【技術分野】
【０００１】本考案は仏壇にＤＶＤプレイヤーを内蔵し、ＤＶＤ、ＣＤ、ＵＳＢ、ＳＤなどを再成する事が出来るペット専用仏壇に関するものである。
【技術背景】
【０００２】人間の仏壇はあるのにペットの仏壇は、ほとんどない。ペット霊園がとても少ない。
【考案の概要】
【考案が解決しようとする課題】
【０００３】ペット専用仏壇をつくる事により、人間と共に生きてきたペットを末永く供用して、更にペット霊園の心配をしなくてすむ。
【課題を解決するための手段】
【０００４】本考案は仏壇内部にＤＶＤプレイヤーを内蔵し生前のペットの姿を再成できる。更に遺灰収納庫を設ける。
【考案の効果】
【０００５】ペットの一生の心配をする事がなくなり万一の時でも生前の元気な姿をＤＶＤなどで映像を再成できてペットとの幸せな永遠の生活がおくれる。
【図面の簡単な説明】
【０００６】
【図１】本考案の全体正面図
【図２】スライド開閉扉を閉めている時の全体正面図
【考案を実施するための形態】
【０００７】家庭の居間などに違和感なく置ける様な調度品にする。いつでも亡きペットを偲べる様に使いやすい適当な形態にする。
【実施例】
【０００８】１  本体全体はプラスチック素材、若しくは家具調素材２  ＤＶＤプレイヤーは、ＤＶＤ、ＣＤ、ＵＳＢ、ＳＤなどが再成出来る液晶画面つきプレイヤー。バッテリー内蔵、ＡＣアダプター利用リモコン利用３  居間などに置ける様スライド式開閉扉を設け普段は閉めておき、一見化粧台風につくり仏壇とは思えない調度品にする。４  遺灰等を入れる収納庫５  台座６  収納庫のとっ手
【図１】
0003183296.tif 000003
【図２】
0003183296.tif 000004
(57)【要約】      （修正有）【課題】外出時においても歯間の清掃状態を良好にするため、市販のキャップ付の歯間ブラシと簡単に合体ができ、携帯を容易にするとともに、片方または双方の取替えも簡単にできるデンタルフロスを提供する。【解決手段】市販されているデンタルフロスに付加されているピック機能を取り除き、その取っ手が出し入れのできるスマートなキャップを付属させたデンタルフロスとする。提供するデンタルフロスのキャップは、市販の歯間ブラシに付属されているキャップと、簡単に密着または接近させて固定した並列のキャップを構成するためのものであり、この並列キャップの中に市販の歯間ブラシと、今回提案のデンタルフロスの取っ手部を出し入れする。【選択図】図３
0003183292.tif 000002
【実用新案登録請求の範囲】
【請求項１】
市販のデンタルフロスのピック機能を取り除き、その取っ手が出し入れできるスマートな形状のキャップを付属させ、そのキャップと市販の歯間ブラシに付属するキャップとで、密着または接近させて固定した並列キャップを構成することにより、歯間ブラシとの合体が簡単にできるデンタルフロス
【考案の詳細な説明】
【技術分野】
【０００１】  本考案は、市販のキャップ付の歯間ブラシと、簡単に合体させて、携帯できることを特徴とするデンタルフロスに関するものである。
【背景技術】
【０００２】  歯間に挟まった食物の中には、歯間ブラシや爪楊枝では取りにくいものもあり、歯間の衛生上も気になるものである。デンタルフロスを用いれば、それを簡単に取り除くことができるが、歯間ブラシとデンタルフロスを合体させて、外出時の携帯を容易にするとともに、片方または双方の取替えも簡単にできる物が無かった。
【考案の開示】
【考案が解決しようとする課題】
【０００３】  市販の歯間ブラシと、デンタルフロスを一体な物として携帯したい。【０００４】  歯間ブラシの取替えも、デンタルフロスの取替えも簡単にできるようにしたい。
【考案を解決するための手段】
【０００５】  歯間ブラシとデンタルフロスを合体させた場合、市販のデンタルフロスに付加されているピック機能は、歯間ブラシで殆んど代用できるため、この機能を取り除いたデンタルフロスに、このデンタルフロスの取っ手をスムーズに出し入れのできるスマートな形状のキャップを付属させたものを、今回提案のデンタルフロスとした。
今回提案のデンタルフロスのキャップと、市販の歯間ブラシに付属されているキャップとで、双方の口を上にして、側面同士を接着テープなどで密着または接近させて固定すると、並列キャップが簡単に構成できる。
この並列キャップに、市販の歯間ブラシ１個と今回提案のデンタルフロス１個の取っ手部を、挿入することにより、コンパクトかつ容易に歯間ブラシとデンタルフロスを合体させることができ、簡単に個々の取替えもできる。
双方を合体させて、ポリエチレン製の密閉チャック付小物用ミニ収納パックなどに収めると、容易に携帯できる。
【産業上の利用可能性】歯科医からも歯間の清掃に、歯間ブラシとデンタルフロスの併用を勧められている方も多いものと思われ、外出時における携帯用の歯間清掃用品として、歓迎されるものと期待される。
【図面の簡単な説明】
【０００６】
【図１】左から  １  デンタルフロスの取っ手を出し入れできるキャップの例  ２  歯間ブラシのキャップの例  ３  歯間ブラシの例  ４  デンタルフロスの例
【図２】デンタルフロスのピック機能を取り除いた例
【図３】歯間ブラシとデンタルフロスを携帯用に合体させた考案品の例
【図１】
0003183292.tif 000003
【図２】
0003183292.tif 000004
【図３】
0003183292.tif 000005
(57)【要約】      （修正有）【課題】交互に強弱の締め付けを設けることで腕全体の疲労を解消できる袖を提供する。【解決手段】袖本体Ａの長手方向に、締め付けの強いゴム素材Ｂと締め付けの弱いゴム素材Ｃを交互に配置した事を特徴とする。これにより、長時間の腕を使う、スポーツや作業による、腕の疲労を解消できる。【選択図】図１
0003183297.tif 000002
【実用新案登録請求の範囲】
【請求項１】
袖本体に、強弱の締め付け部分を設けることで、腕全体への指圧マサージ効果の得ることができ、腕全体の疲労を解消できる袖。
【考案の詳細な説明】
【技術分野】
【０００１】
本発明は、腕の疲れを解決するために、袖に強弱の締め付け効果のあるゴム素材を装着したものである。
【背景技術】
【０００２】
従来は、強弱交互の締め付けゴム素材のついた袖はなかった。
【考案の概要】
【考案が解決しようとする課題】
【０００３】
テニスや、ゴルフなどの、スポーツをしたり、腕を使う労働を、長時間すると腕の疲れがあった。本発明は、この課題を解消するためになされたものである。
【課題を解決するための手段】
【０００４】
単体の袖に、交互に強弱の締め付けのあるゴム素材を装着することで、腕全体への指圧マッサージ効果が得られるようにした。
【考案の効果】
【０００５】
長時間の腕を使う、スポーツや作業による、腕の疲労を解消できる。
【図面の簡単な説明】
【０００６】
【図１】（A）本体（B）締め付けの強い素材部分（C）締め付けの弱い素材部分
【符号の説明】
【０００７】
（A）袖本体
（B）締め付けの強いゴム素材
（C）締め付けの弱いゴム素材
【図１】
0003183297.tif 000003
【手続補正書】
【提出日】平成25年3月6日(2013.3.6)
【手続補正１】
【補正対象書類名】実用新案登録請求の範囲
【補正対象項目名】全文
【補正方法】変更
【補正の内容】
【実用新案登録請求の範囲】
【請求項１】
袖本体の長手方向に、締め付けの強いゴム素材と締め付けの弱いゴム素材を交互に配置した事を特徴とする袖。